(57)【要約】【課題】  ＡＣ電源を入力するとダイレクトに表示装置のランプが点灯するモードを有する画像表示装置において、瞬断や停電により、ランプ点灯した場合でも長時間点灯してしまうことを防止する。【解決手段】  前記ＡＣ電源入力と同時に当該画像表示装置が起動した状態の場合には、必ずパワーマネージメントモード（無信号入力時に画像表示装置を待機モードまたは終了モードにする機能）が設定されるようにモード選択肢を規制する。【選択図】  図１
2007072322.tif 000002
【特許請求の範囲】
【請求項１】
光源ランプから投光される光束を映像入力信号に応じて変調し、前記変調された画像を投射表示する画像表示装置であって、
ＡＣ電源が接続されたときに当該画像表示装置を起動するＡＣオンスタート手段と、    前記ＡＣオンスタート手段により当該画像表示装置が起動したときには、前記映像入力信号の無信号状態が所定時間継続したときに前記ランプを消灯するタイマー手段と
を備えることを特徴とする画像表示装置。
【請求項２】
前記ＡＣオンスタート手段のオン/オフを選択するＡＣオンスタート選択手段と、
前記タイマー手段による前記ランプを消灯するパワーマネージメントモードのオン/オフを選択するパワーマネージメントモード選択手段と
を有し、
前記パワーマネージメントモード設定手段は前記ＡＣオンスタート手段のオンが選択された場合には、前記パワーマネージメントモードのオンを選択することを特徴とする請求項１に記載の画像表示装置。
【請求項３】
前記タイマー手段は、前記ランプを消灯すると同時に、または前記ランプの消灯後前記無信号状態のまま第２の所定時間を経過した時、さらに当該画像表示装置の動作を終了することを特徴とする請求項１または２に記載の画像表示装置。
【請求項４】
前記タイマー手段の動作として、前記ランプを消灯するだけの動作と、前記ランプを消灯しかつ当該画像表示装置の動作を終了する動作との一方を選択する手段を備えることを特徴とする請求項３に記載の画像表示装置。
【発明の詳細な説明】
【技術分野】
【０００１】
本発明は、映像入力信号に応じて光源ランプの光を変調し投射表示する画像表示装置に関し、特にＡＣ電源ＯＮの立ち上がりでダイレクトに前記光源ランプが点灯するＡＣオンスタートモードを有する画像表示装置に関する。
【背景技術】
【０００２】
近年、プレゼンテーションや会議などの場において、天吊りされたプロジェクタなどを用いた画像表示装置が増加している。これらの画像表示装置の電源ＯＮ／ＯＦＦは画像表示装置の操作パネルやリコモンやシリアル通信ケーブルなどを用いて制御することができる。また、簡単にしかも待機電力を削減する等の省エネルギーの観点より、ＡＣ電源のＯＮ／ＯＦＦでプロジェクタのランプの点灯／消灯を行うことが可能な表示装置も実現している。このような表示装置は、ＡＣ電源ＯＮの立ち上がりでランプを点灯し、消灯している時はたとえＡＣ電源が接続（ＯＮ）されていてもランプは点灯しないように構成されている。操作パネルのパワーボタンやリコモンの操作またはシリアル通信など（以下、パワーボタン等と呼ぶ）によってもＡＣ電源をＯＦＦできるようにするためである。以下、ＡＣ電源ＯＮの立ち上がりでダイレクトに表示装置のランプが点灯するモードをＡＣオンスタートモードと呼ぶ。
【０００３】
このような表示装置は、ＡＣオンスタートモードで用いる場合、壁スイッチや配電箱のスイッチ等を介して商用電源等のＡＣ電源に接続され、これらのスイッチによりＡＣ電源をＯＮ／ＯＦＦされ、ランプが点灯／消灯される。また、ＡＣ電源が接続（スイッチがＯＮ）された状態では前記パワーボタン等によりランプの点灯／消灯を行うことができる。
したがって、このような表示装置におけるランプの点灯は、通常使用するパワーボタン等でランプ点灯する方法にＡＣ電源を接続（ＯＮ）する方法が加わり２通りの点灯方法になる。また、点灯後のランプ消灯についても、パワーボタン等による消灯と、ＡＣ電源をダイレクトに切断することによる消灯の２通リになる。したがって、ランプの点灯／消灯の方法は、図１０に示すとおり４通りの組み合わせがある。
【０００４】
次に、従来のＡＣオンスタートモードのフローチャートを図１１に示す。
図１０に示す「条件１」の場合について、簡単に説明する。前提として、操作パネルなどを用いてメニュー操作から画像表示装置の状態がＡＣオンスタートモードに設定されている場合の動作シーケンスを説明する。
Ｓ１０１で画像表示装置への商用ＡＣ電源を接続（通電）するとＳ１０２でランプ点灯動作を行い、Ｓ１０３で入力された映像信号を液晶パネルに出力しスクリーンなどに投射する。以上がランプ点灯シーケンスである。
画像表示装置として使用された後、Ｓ１１２でＡＣ電源を切断すると、Ｓ１１３でランプが消灯し、Ｓ１０５で映像信号も停止する。以上がランプ消灯シーケンスである。
【０００５】
図１２に内部機能ブロックを含めた従来の画像表示装置の構成を示す。同図の画像表示装置は、概略として、画像投射部と、信号処理部と、制御部とから構成される。
画像投射部は、電源プラグ８と、電源供給を行う電源部１３と、ランプ電源９と、ランプ１０と、ランプの光を投射画像に変換する液晶パネル１１と、映像投射部１２とで構成され、スクリーンなどに画像を投射表示する。
信号処理部は、映像入力信号を入力するＩ／Ｆ部１と、入力信号の有無を判別する入力信号検知部２と、各種信号処理を行う画像処理部３と、メニューなどを表示するＯＳＤ４とを備える。さらに、液晶パネルドライブ５と、液晶パネル１１を備える。
制御部は、メニュー制御を行い画像表示装置を操作する操作部６と、画像表示装置全体の制御を行う制御部７とで構成される。
【０００６】
この様に構成した画像表示装置において、問題となることがあり、その問題を図１３を用いて説明する。
まず、ＡＣオンスタートモードが前提である。Ｓ１０１でＡＣ電源を通電することで、画像表示装置が起動し、Ｓ１０２でランプ点灯後、Ｓ１０３で接続されている映像信号を液晶パネルに表示する。この動作は、通常、画像表示装置本体のパワーボタンを押す操作と同じで、遠隔からＡＣ電源だけで画像表示装置を起動したい場合に好適な機能である。ここまでが、ランプ点灯シーケンスとなる。
次に、画像表示装置の使用が終了すると、ＡＣ電源の接続をＯＦＦにしてランプ点灯を消灯することも可能である。しかし、図１３の例では、Ｓ１０４でパワーボタン等、例えば画像表示装置本体のパワーボタンを押すことで、ランプを消灯し映像を停止した場合を示す。ここまでが、使用終了シーケンスとなる。
【０００７】
この後、仮に、Ｓ１０６でＡＣ電源が一時的に停電し復帰した場合を考える。ＡＣオンスタートモードなため、停電から復帰してＡＣ電源が立ち上がると、Ｓ１０２でランプが点灯し、Ｓ１０３で映像を表示するように動作をする。
この後、Ｓ１０４でパワーボタンを押す操作を行うか、または、ＡＣ電源を切断するまでランプは点灯し続ける。
つまり、ユーザーが消灯するまで長時間点灯してしまう場合があり、無駄な電力を消費する可能性がある。
【０００８】
以上の動作以外にも、同じような場合がある。
ＡＣオンスタートモードを設定された画像表示装置は、一般の商用ＡＣ電源に、壁スイッチなどを介することなく直接、接続して使用することもできる。この場合は、電源プラグ８より上流でＡＣ電源をＯＮ／ＯＦＦすることはできない。操作パネルのパワーボタン等を用いて画像表示装置の電源をＯＮ／ＯＦＦして使用する。
ところが、一般の商用ＡＣ電源に接続し、画像表示装置の電源をＯＦＦした状態で、画像表示装置に接続されたＡＣ電源に瞬断（短い停電状態）や停電（長い停電状態）が発生すると、次の問題が発生する。つまり、ＡＣ電源が停電から復帰して立ち上がった時ＡＣオンスタートモード機能によりランプが点灯してしまう。この場合、ユーザーが消灯するまで長時間点灯してしまい、無駄な電力を消費する可能性がある。
【０００９】
この様な画像表示装置は、利用者が不特定多数になることが想定され、その中にはプロジェクタなどの設定や操作に未習熟な者も含まれると考えられる。上記の問題は、例えば前記画像表示装置を、ＡＣオンスタートモードを設定していることを知らずに、または忘れてしまい、一般の商用ＡＣ電源に接続して使用した場合に発生する。
また、ＡＣオンスタートモード設定に不慣れな場合や、設定する人と、使用する人が異なる場合にも起こる可能性がある。その結果、無駄なランプ点灯による無駄な電力を消費する。
従って、ユーザーがＡＣオンスタートモード設定の操作に未習熟または不慣れな場合でも、ランプが表示に無関係に長時間点灯することなく、かつＡＣ電源を入力するとダイレクトにランプが点灯することができることが望ましい。
特許文献１には、画像表示装置と情報処理装置で構成され、１個所の電源スイッチで制御する、上記従来例と比較的類似した構成が開示されている。
【特許文献１】特開２００３−２０８２４７号公報
【発明の開示】
【発明が解決しようとする課題】
【００１０】
以上のように従来の画像表示装置では、ＡＣオンスタートモードを設定し、ＡＣ電源を画像表示装置に接続した状態で、ＡＣ電源が停電し復帰した場合には、ランプが点灯し無駄な電力を消費してしまう問題があった。
そこで、本発明は、ＡＣオンスタートモードを設定した画像表示装置において、ＡＣ電源が停電復帰によりランプが点灯してしまった場合においても、無駄な電力を消費することのない画像表示装置を提供することを目的とする。
【課題を解決するための手段】
【００１１】
上記の課題を解決するために、本発明では、ＡＣオンスタートモードにより起動した場合には、いわゆるパワーマネージメントモード（以下、ＰＭＭという）が必ず設定されるようにしている。ここで、ＰＭＭは、画像表示装置への所定の信号や操作の無い状態が一定時間以上継続した場合に、装置の一部または全部の動作を停止するモードである。例えば、映像入力信号が一定時間無い場合にランプを消灯する待機モードと、ランプの消灯に加えて装置の動作を終了する終了モードがある。待機モードにおけるランプ消灯は、映像入力信号の入力や、操作パネルやリモコンの操作、またはシリアル通信ケーブルを介しての制御信号受信等により解除され、ランプは点灯する。終了モードで終了した場合、装置は、ＡＣ電源の再投入や、操作パネルやリモコンのパワーボタン操作、またはシリアル通信ケーブルを介しての制御信号により動作を開始する。終了モードにおいて、装置の動作終了はランプの消灯と同時でも良いが、待機（ランプ消灯）状態でさらにある時間を待ってから、終了してもよい。
【００１２】
ＰＭＭにおいては、映像信号が入力されると無信号の時間を計時するタイマーをリセットするが、さらに操作パネルやリモコンが操作されたときもタイマーをリセットするようにしてもよい。さらに、シリアル通信ケーブルなどを介して制御信号を受信した場合もタイマーをリセットしてもよい。タイマーのリセットは、画像表示装置が通常の動作状態を継続すること、または既に待機（ランプ消灯）状態に入っている場合は、画像表示装置が通常の動作状態に復帰することを意味する。
【００１３】
ＰＭＭの設定は、例えばＡＣオンスタートモードを設定すると待機または終了モード等のＰＭＭのいずれかを選択させるＰＭＭ選択モードに移行してユーザーにマニュアルで選択させる。あるいは、ＡＣオンスタートモード設定と同時に、待機または終了モードに自動的に設定するようにしてよい。または、ＡＣ電源ＯＮによりランプが点灯してから、無操作、無入力信号状態が一定時間経過すると、ランプを消灯し、待機または終了モードに自動的に設定するようにしてもよい。
【発明の効果】
【００１４】
本発明によれば、ＡＣ電源を入力するとダイレクトにランプが点灯する設定が可能な画像表示装置において、瞬断や停電により、ランプ点灯した場合でも長時間点灯してしまうことを防止することができる。
【発明を実施するための最良の形態】
【００１５】
本発明の好ましい実施の形態に係る投光型画像表示装置は、映像入力信号に応じて光源ランプの光を変調し投射表示するものであり、ＡＣ電源接続と同時に画像表示装置を起動する制御部を備える。
そして、第１の投光型画像表示装置は、前記映像入力信号を監視しタイマーにより前記ランプを消灯する手段と、前記映像入力信号を監視しタイマーにより画像表示装置を終了する手段とを備える。さらに、前記ＡＣ電源接続と同時に画像表示装置が起動した状態の場合には、必ず前記タイマーによる前記ランプを消灯する制御と画像表示装置を終了する制御とのいずれかを選択するように選択肢を規制する手段を備える。
【００１６】
第２の投光型画像表示装置は、前記映像入力信号を監視しタイマーにより前記ランプを消灯する手段と、前記映像入力信号を監視しタイマーにより画像表示装置を終了する手段とを備える。さらに、前記制御部により画像表示装置が起動するように選択した場合には、前記タイマーによる前記ランプを消灯する制御と画像表示装置を終了する制御とのいずれかを選択するように選択肢を規制する選択規制手段を備える。
【００１７】
第３の投光型画像表示装置は、前記映像入力信号を監視しタイマーにより前記ランプを消灯する手段を備える。さらに、前記ＡＣ電源接続と同時に画像表示装置が起動した状態の場合には、前記タイマーによる前記ランプを消灯する制御モードに自動的にモード設定する手段を備える。
第４の投光型画像表示装置は、前記映像入力信号を監視しタイマーにより前記ランプを消灯する手段を備える。さらに、前記制御部により画像表示装置が起動するように選択した場合には、前記タイマーによる前記ランプを消灯する制御モードに自動的にモード設定する手段を備える。
【００１８】
第５の投光型画像表示装置は、前記映像入力信号を監視しタイマーにより画像表示装置を終了する手段を備える。さらに、前記ＡＣ電源接続と同時に画像表示装置が起動した状態の場合には、前記タイマーによる画像表示装置を終了する制御モードに自動的にモード設定する手段を備える。
第６の投光型画像表示装置は、前記映像入力信号を監視しタイマーにより画像表示装置を終了する手段を備える。さらに、前記制御部により画像表示装置が起動するように選択した場合には、前記タイマーによる画像表示装置を終了する制御モードに自動的にモード設定する手段を備える。
【実施例】
【００１９】
本発明のさらなる目的またはその他の特徴は、以下、添付の図面を参照して説明される実施例等によって明らかにされるであろう。
以下に、本発明の実施例を添付の図面に基づいて詳細に説明する。
［第１の実施例］
図１は本発明の一実施例に係る投光型画像表示装置の構成を示す。同図は、画像表示装置内部の機能ブロックをも含めて示す。
図１の画像表示装置は、図１２に示す従来の装置の構成に対して、ＡＣオンスタート機能、またはパワーマネージメント機能（ＰＭＭ）を選択する場合に選択肢を規制する選択規制手段１４を制御部７に追加したものである。図１２と共通または対応する部分には同一の符号を付してある。
【００２０】
ここで、本実施例に関係するパワーマネージメント機能について簡単に説明する。
プロジェクタに代表される画像表示装置には、省電力や、液晶パネルおよびランプなどの寿命低下を保護するためにパワーマネージメント機能が多くの場合搭載されている。「ＰＭＭ：切り」は、このパワーマネージメント機能が働かないモードである。「ＰＭＭ：待機」は、入力される信号の有無を入力信号検知部２で常に監視しており、例えば５分以上無信号が続いた場合にランプを自動的に消灯するモードである。「ＰＭＭ：終了」は、同様に入力される信号の有無を入力信号検知部２で監視し、５分以上無信号が続いた場合にランプを自動的に消灯すると共に映像信号回路を全て停止するモードである。
【００２１】
更に補足すると、「ＰＭＭ：待機」の場合は、ランプだけを消灯するため、入力信号が復帰すると、ランプ点灯し映像を出力できる。一方、「ＰＭＭ：終了」の場合はランプ消灯だけでなく映像信号回路を停止するため、映像入力信号が復帰しても動作しない。この「ＰＭＭ：終了」は、操作ボタンのパワーボタンを押してＯＦＦした状態と同じ動作となる。
【００２２】
図２は、「ＰＭＭ：終了」を設定した場合の動作を示すフローチャートである。「ＰＭＭ：終了」を設定した場合は入力信号が例えば５分以上無くなると、ランプ消灯と共に映像信号回路を停止し、パワーボタンが押されるまで動作しない。
図３は、「ＰＭＭ：待機」を設定した場合を示すフローチャートである。「ＰＭＭ：待機」を設定した場合は、入力信号が例えば５分以上無くなるとランプ消灯する、そこで再び入力信号が検出されるとランプが点灯し通常動作に復帰する。
【００２３】
図４は、従来のメニュー選択条件図を示す。横軸は、選択条件を示し、縦軸は組み合わせの条件を表す。従来は、選択条件設定に特別な規制が無かったため、ＡＣオンスタート機能の入り／切りとＰＭＭの切り／待機／終了の選択が全ての組み合わせで設定可能であった。このため、「条件４」のような場合、停電から復帰すると、ＡＣオンスタート機能が働きランプが点灯し、その後ランプ消灯操作が行われるまで、ランプ点灯が続くといった問題があった。
【００２４】
図５は、本実施例のメニュー選択条件図を示す。図５は、メニュー構成上、ＡＣオンスタートとＰＭＭの条件が、同時に設定される例を示す。つまり、選択肢として「条件４」以外の「条件１、２、３、５、６」のいずれか１つを選択するように構成されている。
従来例との違いは、「ＡＣオンスタート：切り」の場合には、従来同様にＰＭＭの切り／待機／終了が選択可能であり、従来と変らない。しかし、「ＡＣオンスタート：入り」の場合には、ＰＭＭは待機／終了だけが選択可能になるように規制して「条件４」が選択できないようにメニューが構成されている。このため、「ＡＣオンスタート：入り」の場合は、「条件５」または「条件６」に強制的に規制される。
「条件５」の場合、ＡＣオンスタート機能により停電から復帰しランプが点灯しても、映像入力信号が無ければ所定時間経過後、自動的にランプが消灯される。また、「条件６」の場合、ＡＣオンスタート機能により停電から復帰しランプが点灯しても入力信号が無いければ所定時間経過後、自動的にランプを消灯し、かつ終了シーケンスが実行される。
【００２５】
つまり、ＡＣオンスタート機能選択時は、「条件４」を選択できないように規制することで、停電から復帰した場合でも、ランプ消灯操作が行われるまで、ランプ点灯が続く問題を防止することができる。言い換えると、「ＡＣオンスタート：入り」を選択した場合には、自動的に「ＰＭＭ：待機」または、「ＰＭＭ：終了」にモード設定される。このため、停電から復帰した場合でも、ランプ消灯操作が行われるまで、ランプ点灯が続く問題を防止することができる。
【００２６】
図６は、「ＡＣオンスタート：入り」および「ＰＭＭ：待機」モードを選択した場合の動作を示すフローチャートである。
Ｓ１０１で画像表示装置への商用ＡＣ電源を接続（通電）するとＳ１０２でランプ点灯動作を行い、Ｓ１０３で入力された映像信号を液晶パネルに出力しスクリーンなどに投射する。以上がランプ点灯シーケンスである。
入力信号が５分以上検出されない場合はＳ１０７でランプ電源をオフする。すなわち、ランプを消灯してＰＭＭ待機状態となる。このＰＭＭ待機状態で入力信号が検出されると、Ｓ１０８でランプ電源をオンする。ランプ電源をオンした後、入力信号が５分以上検出されない場合はランプ電源をオフする（Ｓ１０７）。以上がＰＭＭ待機シーケンスである。
【００２７】
ＰＭＭ待機状態から商用ＡＣ電源が停電し復帰した（Ｓ１０９）場合は、上記ランプ点灯シーケンスにより、ランプを点灯する。この場合も、上記ＰＭＭ待機シーケンスにより、入力信号の有無に応じてランプを点灯および消灯する。である。このＰＭＭ待機シーケンスは、Ｓ１１１でパワーボタンを押下して装置の動作を終了するまで繰り返し反復実行される。
【００２８】
［第２の実施例］
本発明の第２実施例に係るメニュー選択規制を図７のフローチャートを用いて説明する。ＡＣオンスタートの入り／切り設定とＰＭＭの切り／待機／終了設定を、それぞれ選択する場合の実施例を示す。
メニュー画面のスタートから、Ｓ１３０でＡＣオンスタート選択として入り／切りのどちらかを選択し、Ｓ１３１へ進む。「ＡＣオンスタート：切り」が選択された場合はＳ１３２に進み、ＰＭＭの選択を行う。この場合には、ＰＭＭは切り／待機／終了の３つから選択することが可能である。選択設定後メニュー選択を終了する。
【００２９】
一方、Ｓ１３０で「ＡＣオンスタート：入り」が選択された場合はＳ１３２からＳ１３３へ進み、ＰＭＭの選択を行う。この場合には、ＰＭＭは待機／終了の２つからしか選択できない。
以上のような動作により、「ＡＣオンスタート：切り」選択時には、ＰＭＭは切り／待機／終了を選択可能となる。一方、「ＡＣオンスタート：入り」選択時には、ＰＭＭは待機／終了を選択可能となる。つまり、本実施例では、「ＡＣオンスタート：入り」でＰＭＭ設定は待機／終了から選択するようにメニュー条件を変更し規制する。
このため、ＡＣ電源が停電から復帰しＡＣオンスタート機能によりランプが点灯しても、映像入力信号が無ければ所定時間経過後、自動的にランプが消灯される。従来のランプ消灯操作が行われるまで、ランプ点灯が続くという問題を防止することができる。
【００３０】
［第３の実施例］
本発明に係る第３の実施例を図８を用いて説明する。「ＡＣオンスタート：入り」を選択した場合には、「ＰＭＭ：切り」モードに設定されていたとしても「ＰＭＭ：待機」モードに自動的に再設定される場合の実施例である。
メニュー画面のスタートから、Ｓ１３１でＡＣオンスタート選択として入りが選択されていると、Ｓ１３５へ進み、ＰＭＭは待機モードへ自動的に設定される。
本実施例によれば、ＡＣオンスタート機能により停電から復帰しランプ点灯しても、入力信号が無ければ所定時間経過後、自動的にランプが消灯される。これにより、従来のランプ消灯操作が行われるまでランプ点灯が続くという問題を防止することができる。
【００３１】
［第４の実施例］
本発明に係る第４の実施例を図９を用いて説明する。「ＡＣオンスタート：入り」を選択した場合には、「ＰＭＭ：切り」モードに設定されていたとしても「ＰＭＭ：終了」モードに自動的に再設定される場合の実施例である。
メニュー画面のスタートから、Ｓ１３１でＡＣオンスタート選択として入りが選択されていると、Ｓ１３７へ進み、ＰＭＭは終了モードへ自動的に設定される。
このためＡＣオンスタート機能により停電から復帰しランプが点灯しても、入力信号が無ければ所定時間経過後、自動的にランプが消灯し終了動作が行われる。従来例におけるランプ消灯操作が行われるまで、ランプ点灯が続くという問題を防止することができる。
【００３２】
［第５の実施例］
以上、本発明の好ましい実施例について説明したが、本発明はこれらの実施例に限定されないことはいうまでもなく、その要旨の範囲内で種々の変形および変更が可能である。例えば、上述の実施例においては、「ＡＣオンスタート：入り」の選択時に、「ＰＭＭ：切り」への設定を禁止して、「ＰＭＭ：待機」または「ＰＭＭ：終了」が強制的に設定されるようにしている。しかし、「ＡＣオンスタート：入り」の選択時には前記設定禁止または設定は行わずに、ＡＣオンスタート機能により実際に画像表示装置が起動した場合に、初めて、前記の設定禁止または設定を行うようにしてもよい。
【図面の簡単な説明】
【００３３】
【図１】本発明の第１の実施例に係る画像表示装置の構成を示す図である。
【図２】一般的なＰＭＭ終了動作を説明するためのフローチャートである。
【図３】一般的なＰＭＭ待機動作を説明するためのフローチャートである。
【図４】従来のメニュー選択条件図である。
【図５】第１実施例のメニュー選択条件図である。
【図６】第１実施例の、ＡＣオンスタートモードおよびＰＭＭ待機モードで、ＰＭＭ待機中に停電し復帰した時のフローチャートである。
【図７】本発明の第２の実施例に係るメニュー選択規制フローチャートである。
【図８】本発明の第３の実施例に係るメニュー選択自動設定フローチャートである。
【図９】本発明の第４の実施例に係るメニュー選択自動設定フローチャートである。
【図１０】従来のモード組み合わせ図である。
【図１１】従来のＡＣオンスタートモードのフローチャートである。
【図１２】従来の画像表示装置の構成を示す図である。
【図１３】従来のＡＣオンスタートモードでパワーボタン押下により装置終了した後、停電し復帰した時のフローチャートである。
【符号の説明】
【００３４】
１：Ｉ／Ｆ部
２：入力信号検知部
３：画像処理部
４：ＯＳＤ
５：液晶パネルドライブ
６：操作部
７：制御部
８：電源プラグ
９：ランプ電源
１０：ランプ
１１：液晶パネル
１２：映像投射部
１３：電源部
１４：選択規制手段
【図１】
2007072322.tif 000003
【図２】
2007072322.tif 000004
【図３】
2007072322.tif 000005
【図４】
2007072322.tif 000006
【図５】
2007072322.tif 000007
【図６】
2007072322.tif 000008
【図７】
2007072322.tif 000009
【図８】
2007072322.tif 000010
【図９】
2007072322.tif 000011
【図１０】
2007072322.tif 000012
【図１１】
2007072322.tif 000013
【図１２】
2007072322.tif 000014
【図１３】
2007072322.tif 000015